(57)【要約】【課題】組み立ての容易性と強度と美感とに優れた背もたれを提供する。【解決手段】背もたれ５は、樹脂製の背アウターシェル１２とその手前に配置した背インナーシェル１３とを有する。背アウターシェル１２の下部は多数の補強リブ３６を設けて強度メンバーとして機能しており、この下部に左右のジョイントバー３８を有する補強金具３７が装着されている。背インナーシェル１３の筒部４２がジョイントバー３８の上向き支柱部３８ｂに上から嵌め込まれている。また、背インナーシェル１３はキャッチ５１〜５２，５３〜５５等で背アウターシェル１２にずれ不能に保持されている。背アウターシェル１２のうち後ろから視認できる部分の大半は高い強度が不要である。このため、補強リブ３６を設ける必要はなくて、樹脂か硬化するに際してのヒケの発生を防止できる。【選択図】図８
2015092964.tif 000002
【特許請求の範囲】
【請求項１】
着座者の体圧を受ける背インナーシェルとこれを後ろから覆う樹脂製の背アウターシェルとを有しており、前記背インナーシェルは着座者の体圧を支持できる強度を有しており、前記背インナーシェルが補強金具を介して前記背アウターシェルに取り付けられている、
椅子の背もたれ。
【請求項２】
前記背アウターシェルのうち前記補強金具が取り付いている部分は荷重を支持する強度メンバーとしての強度を有しており、前記背アウターシェルのうちおおよそ前記補強金具の取付け部のよりも上の部分は主としてカバーとして機能している、
請求項１に記載した椅子の背もたれ。
【請求項３】
前記補強金具は、前記背インナーシェルと前記背アウターシェルとのうちいずれか一方又は両方に対し、固定されておらずにあそびをもった状態で嵌まっている、
請求項１又は２記載の椅子の背もたれ。
【請求項４】
前記補強金具は、前記背アウターシェルに嵌め込まれる前向き下部と前記背インナーシェルが嵌まり込む上向き支柱部とを有しており、前記前向き下部は背アウターシェルに嵌め込まれていて固定はされておらず、上向き支柱部は前記背インナーシェルに嵌め込まれていて固定されていない、
請求項３に記載した椅子の背もたれ。
【請求項５】
前記補強金具は、左右に隔てて配置された上下長手の複数本のジョイントバーと、これらジョイントバーを一体に連結する左右横長のステーとで構成されている、
請求項１〜４のうちのいずれかに記載した椅子の背もたれ。
【請求項６】
前記背インナーシェルは、当該背インナーシェルを下向き動させることで嵌合するキャッチ手段により、前記背アウターシェルに対して前後動及び左右動並びに上下動不能に保持されている、
請求項１〜５のうちのいずれかに記載した椅子の背もたれ。
【発明の詳細な説明】
【技術分野】
【０００１】
本願発明は、椅子の背もたれに関するものである。
【背景技術】
【０００２】
椅子の背もたれは様々な構造があるが、クッションを備えている場合は、一般に、人の体圧で撓み変形可能な背インナーシェル（背板）の前面にクッションを張って、背インナーシェルは、その裏側に配置した背アウターシェルに取付けていることが多い（例えば特許文献１）。
【０００３】
背もたれの背アウターシェルは強度メンバーと機能しており、従って、全体が着座者の荷重を支持できる剛体構造になっており、ロッキング椅子の場合は、背アウターシェルを背支柱に取付けたり、背アウターシェル自身に前向きのアーム部を設けて、これをベースに取付けたりしている。
【先行技術文献】
【特許文献】
【０００４】
【特許文献１】特開２０１０−９４３０５号公報
【発明の概要】
【発明が解決しようとする課題】
【０００５】
上記のとおり背アウターシェルは強度メンバーとして機能するものであるが、背アウターシェルは一般に樹脂製であるため、前面に多数の補強リブを設けることで強度を確保している。しかし、多数のリブを形成すると、樹脂が硬化した後にリブの箇所の外面（後面）にヒケと呼ばれる凹みができることがあり、これが美感を悪化して品質低下につながるおそれがあった。
【０００６】
本願発明は、このような現状を改善すべく成されたものである。
【課題を解決するための手段】
【０００７】
本願発明は、各請求項の構成を含んでいる。このうち請求項１の発明は、着座者の体圧を受ける背インナーシェルとこれを後ろから覆う樹脂製の背アウターシェルとを有しており、前記背インナーシェルは着座者の体圧を支持できる強度を有しており、前記背インナーシェルが補強金具を介して前記背アウターシェルに取り付けられている。この場合、背インナーシェルはその全体が背アウターシェルで覆われていてもよいし、背インナーシェルのうち上側の適宜範囲は背アウターシェルの上に露出していてもよい。
【０００８】
請求項２の発明は、請求項１において、前記背アウターシェルのうち前記補強金具が取り付いている部分は荷重を支持する強度メンバーとしての強度を有しており、前記背アウターシェルのうちおおよそ前記補強金具の取付け部のよりも上の部分は主としてカバーとして機能している。
【０００９】
請求項３の発明は、請求項１又は２において、前記補強金具は、前記背インナーシェルと前記背アウターシェルとのうちいずれか一方又は両方に対し、固定されておらずにあそびをもった状態で嵌まっている。
【００１０】
請求項４の発明は、請求項３において、前記補強金具は、前記背アウターシェルに嵌め込まれる前向き下部と前記背インナーシェルが嵌まり込む上向き支柱部とを有しており、前記前向き下部は背アウターシェルに嵌め込まれていて固定はされておらず、上向き支柱部は前記背インナーシェルに嵌め込まれていて固定されていない。
【００１１】
請求項３，４の場合、補強金具は背アウターシェル又は背インナーシェルに対して人の手で動きを感じる程に若干のあそび（クリアランス、ガタ）をもって嵌まっていてもよいし、人の手で動かそうとしてもガタを感じないが、荷重がかかったらずれ得るような嵌合状態であってもよい。
【００１２】
請求項５では、請求項１〜４のうちのいずれかにおいて、前記補強金具は、左右に隔てて配置された上下長手の複数本のジョイントバーと、これらジョイントバーを一体に連結する左右横長のステーとで構成されている。
【００１３】
請求項６の発明は、請求項１〜５のうちのいずれにおいて、前記背インナーシェルは、当該背インナーシェルを下向き動させることで嵌合するキャッチ手段により、前記背アウターシェルに対して前後動及び左右動並びに上下動不能に保持されている。
【発明の効果】
【００１４】
請求項１の発明によると、背インナーシェルは剛体であって補強金具を介して背アウターシェルに取付けられているため、背アウターシェルのうちおおよそ補強金具の取付け箇所よりも上の部分は高い強度を持たせる必要はない。このため、請求項２のように、背アウターシェルのうち補強金具の取付け部よりも上の部分は、高い強度を持たずに主としてカバーとし機能させることが可能になる。
【００１５】
その結果、背アウターシェルにリブを設ける範囲を少なくしてヒケの発生を防止又は抑制でき、延いては、背もたれの美感低下を防止して品質を向上できる。背インナーシェルの全体を背アウターシェルで覆って、背アウターシェルの下部に補強金具を取り付けると、後ろから見える背アウターシェルのかなりの範囲をリブが存在しないか少ない構成にできるため、特に好適である。
【００１６】
さて、人が椅子を使用する場合、背中の中心線と背もたれの中心線とが常に合致しているというわけではなく、背中が右又は左に偏った状態で背もたれに凭れ掛かったり、背伸びするようにして凭れ掛かったりというように、様々な凭れ方をする。このため、背もたれにはねじれ等の偏荷重がかかることがある。
【００１７】
そして、本願発明では補強金具を背アウターシェルにビス等のファスナで固定することも可能であるが、この補強金具を背アウターシェルにしっかり固定していると、場合によっては、偏荷重によって補強金具が背アウターシェルの特定部分に強く当たって応力集中が発生しやすくなることが有り得る。
【００１８】
これに対して請求項３，４のように補強金具を非固定方式にすると、背インナーシェルに偏荷重が作用しても、補強金具と背アウターシェルとの間に滑りやずれが生じることで、背アウターシェルの特定箇所に応力が集中することを防止できる。その結果、背アウターシェルのうち補強金具の取付け部を過度に厚肉化するような対策が不要になって、コストを掛けることなく高い強度を確保できる。
【００１９】
特に、請求項４のように背アウターシェルと背インナーシェルとの両方に対して非固定にすると、背アウターシェルと背インナーシェルとの両方について応力集中を防止できるため、特に好適である。偏荷重の分散のためには、荷重の方向が変わっても部材に対する力の掛かり方が同じであるのが好ましく、この点からは、補強金具として断面円形のパイプや棒材を使用するのが好ましい。
【００２０】
また、樹脂にしても金属にしても温度変化によって膨張・収縮するが、金属の熱膨張率と樹脂の熱膨張率とは相違するため、補強金具を背アウターシェルにしっかりと固定していると、熱膨張の違いによって背アウターシェルに応力が発生し、このため着座者による荷重の支持強度が弱くなるおそれがあるが、請求項３，４のように補強金具を非固定方式とすると、熱膨張率の違いによって背アウターシェルに応力が発生することを防止可能となるため、支持強度の低下を防止し得る。
【００２１】
補強金具は様々な態様に設定できるが、請求項５の構成を採用すると、背アウターシェルと背インナーシェルとの連結機能を有するジョイントバー同士がステーによって補強されているため、強度を確保する上で好適である。この場合、ジョイントバーを金属パイプ又は金属棒で構成すると、加工コストを抑制できる利点がある。
【００２２】
背インナーシェルと背アウターシェルとは、ビス等のファスナで止めることも可能であるが、請求項６のようにキャッチ方式を採用すると、組み立てが簡単になる。また、キャッチ部で背アウターシェルと背アウターシェルとは僅かながら相対動し得るため、偏荷重がかかったときの応力集中も抑制できる。
【図面の簡単な説明】
【００２３】
【図１】実施形態に係る椅子の外観図で、（Ａ）は前から見た斜視図、（Ｂ）は後ろから見た斜視図である。
【図２】クッションを省略した状態での部分破断斜視図である。
【図３】クッションを省略した状態での部分破断分離斜視図である。
【図４】中央部の縦断側面図である。
【図５】背アウターシェルとベース回りの斜視図である。
【図６】座板を倒した状態での分離斜視図である。
【図７】座板の取付け方法を示す分離斜視図である。
【図８】背もたれの要素を分離した斜視図である。
【図９】（Ａ）は補強金具が取りついた背インナーシェルを後ろから見た斜視図、（Ｂ）は背インナーシェルの部分斜視図、（Ｃ）は背アウターシェルの部分斜視図である。
【図１０】背アウターシェルと背インナーシェルの分離斜視図である。
【図１１】背インナーシェルの取付け手順を示す図である。
【図１２】（Ａ）は背アウターシェルの上部の部分的な分離斜視図、（Ｂ）は穴カバーの斜視図、（Ｃ）は背インナーシェルにおける補助具取付け部を後ろから見た斜視図である。
【図１３】背インナーシェルにおける補助具取付け部を示す図で、（Ａ）は後ろから見た斜視図、（Ｂ）は前から見た斜視図である。
【発明を実施するための形態】
【００２４】
次に、本願発明の実施形態を図面に基づいて説明する。なお、以下の説明で方向を示すため「前後」「左右」の文言を使用するが、これらの前後・左右の文言は、ロッキング椅子（以下、単に椅子と称する）に普通の姿勢で着座した人が向いた方向を基準にしている。
【００２５】
(1).概要
まず、概要を説明する。本実施形態の椅子は、事務用に多用されているいわゆる回転椅子に適用しており、図１〜４に示すように、椅子は、主要要素として、脚支柱（ガスシリンダ）２及び枝足を有する脚１と、脚支柱２の上端に固定したベース３と、ベース３の上方に配置された座４と、ベース３に後傾動自在に連結された背もたれ５を備えている。脚１を構成する各枝足の先端には、キャスタを設けている。なお、ベース３の左右側面には、オプション品として肘掛けを取り付けることができる。
【００２６】
図５に示すように、ベース３は板金製であって底板と左右側板３ａとを有する上向きに開口の箱状の形態であり、前後方向に長い形状である。また、図４に明示するように、ベース３の上向き開口の下部材６を有しており、下部材６とベース３とに貫通したブッシュ７に脚支柱２の上端を嵌着している。嵌着している。ベース３のうち脚支柱２の手前には、肘掛けを取り付けるための支持部材８を設けている。図５に明示するように、ベース３を構成する左右側板３ａの上端には、前後方向に長い左右外向きのサイドフランジ３ｂを設けている。
【００２７】
図４に示すように、座４は、樹脂製の座インナーシェル（座板）９とその上に配置したクッション１０とを主要要素としており、クッション１０はクロスやレザー等の表皮材（図示せず）で覆われている。座インナーシェル９の後ろ寄り部位には多数の横長凹所を有するヒンジ部９ａを形成しており、ヒンジ部９ａによりも後ろの後部９ｂが前部に対して後傾動し得る。図２，３のとおり、座インナーシェル９は下カバー（座アウターシェル）１１で覆われている。
【００２８】
例えば図３，４のとおり、背もたれ５は、樹脂製の背アウターシェル１２とその前面に配置した樹脂製の背インナーシェル（背板）１２、及び背インナーシェル１３の前面に配置したクッション１４とを主要要素としており、クッション１４はクロス等の表皮材で覆われている。
【００２９】
図２〜４から理解できるように、背アウターシェル１２は、座４の下方に入り込む潜り込み部１５を有している。潜り込み部１５は、ベース３の左右両側に位置するように左右に分離した二股状になっており、左右潜り込み部１５の前端間に左右長手の支軸１６が掛け渡されており、支軸１６は軸受け１７を介して潜り込み部１５の前端に取付けられている。軸受け１７は樹脂製であり、潜り込み部１５の先端に外側から嵌め込まれていると共に、ベース３のフランジ３ｂに上から重なっている。フランジ３ｂに重なる部分は平坦面になっている。
【００３０】
図２〜５のとおり、ベース３の内部には、前後方向に伸縮するロッキングばね（圧縮コイルばね）１８が配置されている。ロッキングばね１８は前後のばね受け１９，２０で支持されており、後部ばね受け２０は支軸１６の左右中間部に固定されている。従って、後部ばね受け２０は支軸１６と一緒に前後動する。他方、前部ばね受け１９はベース３の前面に溶接で固定されており、この前部ばね受け１９の上端に左右横長の支持バー２１を固定している。
【００３１】
図５に示すように、ベース３には、背アウターシェル１２の左右潜り込み部１５の間において後ろ向きに突出した後ろ向き張り出し部３ｃが形成されており、後ろ向き張り出し部３ｃの後端部に左右横長のガイド軸２２を固定している。ガイド軸２２は後ろ向き張り出し部３ｃの後端部の左右外側に突出しており、この突出した先端部が、背アウターシェル１２における潜り込み部１５の内側面に設けたガイド溝２３に嵌まっている。
【００３２】
ガイド溝２３は側面視で略上向き凹の円弧状になっており、背アウターシェル１２は（背もたれ５は）、ガイド溝２３にガイドされて沈みながら支軸１６を中心に後傾動する。すなわち、回動支点を手前に移動させながら後傾していく。
【００３３】
詳細は省略するが、ベース３のフランジ３ｂは座インナーシェル９に設けた抱持片によって下から抱持されており、これにより、座インナーシェル９は上抜き抜け不能に保持されている。また、座インナーシェル９は、軸受け１７を介してベース３のフランジ３ｂで前後動自在に支持されていると共に、支持バー２１によっても前後動自在に支持されている。
【００３４】
(2).背アウターシェルと座インナーシェルとの連結構造
背アウターシェル１２と座インナーシェル９とは連結されており、ロッキングに際しては、背もたれ５は支軸１６を中心にして後傾しつつ下降動し、これに連れて座３は前進する。かつ、座９の後部は前進に際して後傾動する。
【００３５】
そこで、背アウターシェル１２と座インナーシェル９との連結構造を説明する。図６，７に示すように、座インナーシェル９の後部のうち左右両端寄り部位には、左右の内向き鉤爪２６を有する下向きの前部キャッチ２７を設けている一方、背アウターシェル１２の潜り込み部１５には、前部キャッチ２７が手前から嵌まり込む後部キャッチ２８を設けている。後部キャッチ２８には、前部キャッチ２７の内向き鉤爪２６が上向き抜け不能に係合する外向き爪２９を設けている。
【００３６】
また、座インナーシェル９のうち後部キャッチ２７の左右内側には、手前に向けて延びるストッパー爪３０を設けている一方、背アウターシェル１２の潜り込み部１５には、ストッパー爪３０が上から嵌まり込むストッパー穴３１を設けている。
【００３７】
ストッパー爪３０は前端が自由端になっており、前端に形成した爪部は後ろに行くに従って高くなる傾斜面を有する。このため、前部キャッチ２７を後部キャッチ２８に嵌めた状態で座インナーシェル９を後ろにずらすと、ストッパー爪３０はいったん上向きに起きるように弾性変形し、次いで、座インナーシェル９を押し込み切ると弾性復元力で元の姿勢に戻り、ストッパー爪３０の爪部がストッパー穴３１に上から嵌まり込む。これにより、座インナーシェル９は前後動不能に保持される。
【００３８】
座インナーシェル９の後端には後ろ向きに鉤状のリア爪３３を設けており、背アウターシェル１２の潜り込み部１５には、リア爪３３を上向き動不能に保持するリブ３４を設けている。これは、ロッキング時に、座インナーシェル９の後端を背アウターシェル１２と一緒に強制的に下降させるものである。
【００３９】
(3).背もたれの構造
次に、背もたれ５の構造を説明する。背もたれ５の背アウターシェル１２は強度メンバーとして機能するものであり、例えば図５に示すように、潜り込み部１５とこれに連なる部分には多数の補強リブ３６を設けている。
【００４０】
正確に述べると、図５に符号を付与して示すように、背アウターシェル１２は、概ね上下方向に延びる起立部１２ａと、その下端に繋がって座の下方に向かう傾斜部１２ｂとで構成されており、傾斜部１２ｂのうちの先端側の略半分程度が潜り込み部１５になっているが、傾斜部１２ｂの全体と起立部１２ａの下端部とに補強リブ３６を設けている。従って、起立部１２ａの大半には補強リブ３６は設けていない（補強リブを排除する趣旨ではなく、必要がないということである。）。
【００４１】
図５〜８等のとおり、背アウターシェル１２と背インナーシェル１３とは、略Ｈ文字形の補強金具３７を介して繋がっている。補強金具３７は、上下長手の左右ジョイントバー３８とこれを一体に繋ぐ左右横長のステー３９とで構成されている。
【００４２】
ジョイントバー３８は一例として鋼管等の丸パイプ製であり、前向き下部３８ａと上向き支柱部３８ｂと両者を繋ぐ中間部３８ｃとを有しており、隣り合った部分は、側面視で手前に向けて凹のく字形に屈曲している。そして、前向き下部３８ａは、背アウターシェル１２の潜り込み部１５に形成したトンネル部４０に後ろから嵌め込まれている。中間部３８ｃは背アウターシェル１２に設けた保持溝４１に嵌まっている。ジョイントバー３８の上向き支柱部３８ｂは、背インナーシェル１３の後面に設けた下向きに筒部４２に嵌まっている。
【００４３】
この場合、ジョイントバー３８は、背アウターシェル１２及び背インナーシェル１３に対して固定されておらず、単に嵌まっているだけである。そして、ジョイントバー３８は、トンネル部４０と保持溝４１と筒部４２に対して、若干のあそび（ガタ、クリアランス）をもった状態で嵌まっている。クリアランスはコンマ数ミリ〜１ミリ程度でよい。
【００４４】
図８，９に示すように、背インナーシェル１３の周囲は外周リブ４３で構成されており、外周リブ４３の内側には、左右２本の縦長メインリブ４４と上下２本（２対）の横長メインリブ４５とが形成され、更に、縦長メインリブ４４と横長メインリブ４５とで囲われた部分にはクロスしたセンターリブ４６を設けている。更に、上下には上リブ４７を設け、左右側部にはサイドリブ４８を設けている。
【００４５】
これらリブの群により、背インナーシェル１３は着座者の荷重（体圧）を支持する強度メンバーとして機能している。従って、背インナーシェル１３は着座者の体圧で変形しない剛体構造になっている（強度を保持するためのリブは、図示の態様に限らず、様々な態様を採用できる。）。そして、縦長メインリブ４４に下端部を下向き開口させることで筒部４２を構成している。
【００４６】
特に図９，１０に示すように、背インナーシェル１３の後面のうち上リブ４６とサイドリブ４７との内側には、左右２対ずつの上雄形キャッチ５０と、左右側部に配置した左右一対の中間雄形キャッチ５１と、左右側部に配置した左右一対の下雄形キャッチ５２とを設けている一方、背アウターシェル１２には、上雄形キャッチ５０が上から嵌まる上雌形キャッチ５３と、中間雄形キャッチ５１が嵌まる中間雌形キャッチ５４と、下雄形キャッチ５２が嵌まる下雌形キャッチ５５とを設けている。
【００４７】
更に、背インナーシェル１３のうち下雄形キャッチ５２の左右内側には、上向きに延びる左右一対のストッパー爪５６を設けている一方、背アウターシェル１２の前面には、ストッパー爪５６が引っ掛かり係合するストッパー壁５７を設けている。
【００４８】
各雄形キャッチ５０，５１，５２は後ろ向きに突出しており、上雄形キャッチ５０及び下雄形キャッチ，５１は左右外側に１つの爪片５８を設けており、中間雄形キャッチ５１は左右の爪片５８を設けている。他方、各雌形キャッチ５３，５４，５５は、雄形キャッチ５０，５１，５２が上から嵌まり込むように左右の壁と底板５９を有する略箱形になっており、上雌形キャッチ５３と下雌形キャッチ５５には、上下雄形キャッチ５０，５２の爪片５８を手前に移動不能に保持する１つの内向き規制片６０を設け、中間雌形キャッチ５４には、中間雄形キャッチ５１が左右の爪片５８を有することに対応して、左右一対の内向き規制片６０を設けている。
【００４９】
雄形キャッチ５０，５１，５２は、雌形キャッチ５３，５３，５５によって左右動不能及び前後動不能並びに下向き動不能に保持されている。また、雄形キャッチ５０，５１，５２は雌形キャッチ５３，５３，５５に上から嵌め込まれるが、雄形キャッチ５０，５１，５２の嵌め込みのガイド（誘い）のため、各規制片６０の上端には、手前に向けて傾斜した（前倒れした）ガイド部６０ａを設けている。
【００５０】
そして、図１１に示すように、側面視において、補強金具３７における上向き支柱部３８ｂの傾斜姿勢と各規制片６０のガイド部６０ａの傾斜姿勢とを略同じに設定する（上向き支柱部３８ｂとガイド部６０ａとを略平行に設定する）と共に、背インナーシェル１３の筒部４２が上向き支柱部３８ｂに嵌まってから、各雄形キャッチ５０，５１，５２が各雌形キャッチ５３，５４，５５に嵌まるように設定している。
【００５１】
このため、背インナーシェル１３を補強金具３７の上向き支柱部３８ｂに嵌め込んで下向き動させると、各雄形キャッチ５０〜５２が各雌形キャッチ５３〜５５に自動的に嵌まり込む。このため、背インナーシェル１３の取付けをワンタッチ的に簡単に行える。ガイド部６０ａは、上向き支柱部３８ｂよりも若干手前に倒してもよい。
【００５２】
背インナーシェル１３の下降下限は、各雄形キャッチ５０〜５２が雌形キャッチ５３〜５５の底板５９に当たることで規制される。そして、ストッパー爪５６は、背インナーシェル１３の下降動によってストッパー壁５７に当たり、いったん手前に倒れるように弾性変形し、次いで、背インナーシェル１３が下降し切ると戻り回動して、ストッパー壁５７の下に移行する。これにより、背インナーシェル１３は上向き動不能に保持される。ストッパー壁５７の上面には、ストッパー爪５６の下向き動をガイドするため、側面視で傾斜したガイドリブ６１を設けている。
【００５３】
上記のとおり、背インナーシェル１３は、雄形キャッチ５０〜５２と雌形キャッチ５３〜５５、及びストッパー爪５６とストッパー壁５７とにより、上下方向と前後方向と左右方向とのいずれの方向にもガタつかない状態で背アウターシェル１２に取付けられる。
【００５４】
そして、着座者による後ろ向きの荷重によって背インナーシェル１３は後ろ向きのモーメントを受けて、そのモーメントは背インナーシェル１３の下部に強く作用するが、背インナーシェル１３と背アウターシェル１２とは補強金具３７を介して連結されているため、背インナーシェル１３に作用したモーメントは、補強金具３７を介して背アウターシェル１２の下部でしっかりと支持される。
【００５５】
従って、背アウターシェル１２のうち強度メンバーとして機能するのは下部のみであり、起立部１２ａの大半は高い強度を保持する必要はないため、起立部１２ａの大半は補強リブ３６が全く又は殆ど存在しない状態に成形できる。これにより、ヒケの発生による品質低下を防止できる。
【００５６】
また、ジョイントバー３８は若干の遊びを持って背アウターシェル１２及び背インナーシェル１３に嵌まっているため、既述のとおり、組み立てが容易であるのみならず、背インナーシェル１３に偏荷重が作用した場合に応力集中を阻止できる利点や、熱膨張率の違いによる応力の発生を防止できる。
【００５７】
ジョイントバー３８及びステー３９は角パイプ製としたり板金製としたりするなど、様々な形態に具体化できる。補強金具３７を板金製やアルミダイキャスト製の一体品とすることも可能である。ジョイントバー３８を例えば左右２本ずつ配置することも可能である。敢えて述べるまでもないが、背アウターシェル１２は潜り込み部１５を備えている必要はない。
【００５８】
従って、補強金具３７をある程度の左右幅がある１本の部材で構成して背アウターシェルの左右中間部に配置したり、ジョイントバーを左右中間部とその両側との３カ所に配置するといったことも可能である。要は、少なくとも着座者からの後ろ向きのモーメントに耐え得る強度を保持することができるのであれば、補強金具３７には任意の素材や形状を採用できる。また、キャッチ手段は図示の形態には限らず、様々な構造（組み合わせ）を採用できる。
【００５９】
実施形態の背インナーシェル１３にはクッション１４が貼られているが、背インナーシェル１３を前後に開口した枠状に構成し、これにメッシュ等の可撓性部材を張ることも可能である。この場合は、背アウターシェルは背インナーシェル１３の大半を覆わない状態になる。
【００６０】
(4).背もたれの補助具取付け部
本実施形態の椅子は、背インナーシェル１３の上端部にハンガー等の補助具を取り付けることができる。この点を次に説明する。図１２に示すように、背アウターシェル１２の上端部には着脱自在なキャップ６４で塞がれる左右横長の補助具取付け穴６５が開口しており、背インナーシェル１３のうち補助具取付け穴６５に露出した箇所に、左右２個のナット６６が装着可能となっている。
【００６１】
ナット６６は、平面視で左右外側に向いて開口したコ字形になっており、後ろ片６６ａにはビス穴６７を空けて、前片６６ｂにはタップ穴６８を形成している。そして、背インナーシェル１３に、ナット６６で抱持される左右のホルダー部６９を設けている。左右のホルダー部６９の間の部分は、ナット６６の差し込みを許容するための空間になっている。また、ホルダー部６９には、ビス（図示せず）を貫通させるための穴が空いている。
【００６２】
ホルダー部６９の前面は、背インナーシェル１３の上リブ４６よりも少し低くなっている。このため、ナット６６が上リブ４６の手前にはみ出ることはない。ホルダー部６９は外周リブ４３と上リブ４６とにリブ７０を介して繋がっている。このため、ハンガー等の支持強度は高い。ナット６６は前面６６ａにタップ穴６８を設けているため、ハンガー等の補助具をビスで締結すると、ナット６６によってホルダー部６９が挟持される。従って、締結強度を一層向上できる。
【００６３】
また、図１３（Ｂ）のとおり、ホルダー部６９の手前には角穴７１が空いている。この角穴７１は、前後の金型でホルダー部６９を成形するための抜き違い穴である。この角穴７１の存在により、ナット６６を横からホルダー部６９に嵌め込むことができる。また、ビスの先端がナット６６の前片６６ｂから手前に露出していても、その露出した先端は角穴７１に収納されるため、ビスがクッション１４まで届くことはない。
【００６４】
さて、椅子の背もたれにハンガーを取り付ける手段として、特開２０１０−１５８２７０号公報には、背インナーシェルに設けたボス部にブラケットをビスで固定して、ブラケットにハンガーを取り付けることが開示されている。
【００６５】
しかし、この公報では、樹脂製の背インナーシェルにタップ穴を設けることになるため、雌ねじが潰れる現象が発生しやすくて、強度に不安がある。
【００６６】
これに対して本実施形態のようにコ字形のナット６６を使用してこれでホルダー部６９を抱く構成を採用すると、ナット６６は金属製であるため、雌ねじが潰れる現象を著しく抑制できる。また、仮に雌ねじが潰れてもナット６６を交換したら足りるため、ハンガー等の補助具の取付けが不能になる事態は発生しない。
【００６７】
更に、ナット６６がコ字形であることにより、セットした状態に保持されて脱落を防止できるため、補助具の取付けの手間も軽減できる。しかも、後ろ片６６ａにビス穴６７が空いているため、ビスをビス穴６７に挿入すると、ビスの芯とタップ穴６８の芯とが自動的に揃って、ねじ込みをスムースに行える。
【産業上の利用可能性】
【００６８】
本願発明は、椅子の背もたれに具体化できる。従って、産業上利用できる。
【符号の説明】
【００６９】
３  ベース
４  座
９  座インナーシェル
１２  背アウターシェル
１３  背インナーシェル１３
１５  潜り込み部
３６  補強リブ
３７  補強金具
３８  ジョイントバー
３８ａ  前向き下部
３８ｂ  上向き支柱部
３９  ステー
４０  トンネル部
４１  保持溝
４２  筒部
５０〜５２  雄形キャッチ
５３〜５５  雌形キャッチ
【図１】
2015092964.tif 000003
【図２】
2015092964.tif 000004
【図３】
2015092964.tif 000005
【図４】
2015092964.tif 000006
【図５】
2015092964.tif 000007
【図６】
2015092964.tif 000008
【図７】
2015092964.tif 000009
【図８】
2015092964.tif 000010
【図９】
2015092964.tif 000011
【図１０】
2015092964.tif 000012
【図１１】
2015092964.tif 000013
【図１２】
2015092964.tif 000014
【図１３】
2015092964.tif 000015